(57)【特許請求の範囲】
【請求項１】
加熱室の扉に連動するスイッチ駆動手段と、
このスイッチ駆動手段により動作する第１、第２のスイッチと、
前記扉の開閉を検出するドア検出回路を有する制御回路と、
加熱室に熱源を供給する負荷回路と、
を備え、
前記第１のスイッチは双方向接点式であり、前記第１のスイッチの共通端子は前記商用電源に接続され、前記第１のスイッチの常開接点は前記負荷回路に接続され、前記第１のスイッチの常閉接点は前記制御回路に接続され、
前記第２のスイッチは双方向接点式であり、前記第２のスイッチの共通端子は前記商用電源に接続され、前記第２のスイッチの常開接点は前記制御回路に接続され、前記第２のスイッチの常閉接点は前記第１のスイッチの常開接点に接続されるとともに、前記負荷回路に接続され、
前記ドア検出回路は前記第１のスイッチの常開接点に並列に接続し、
それぞれ前記第１のスイッチの前記共通端子と前記常閉接点、第２のスイッチの前記共通端子と前記常開接点に、並列に接続され、前記商用電源と前記制御回路をＯＮ，ＯＦＦする第１，第２のリレーとを、更に備え、
前記扉が全閉のときに、前記スイッチ駆動手段により、前記第１のスイッチの常閉接点がＯＦＦ、前記第２のスイッチの常開接点がＯＮとなるとともに、前記第１、第２のリレーがＯＦＦとなり、
前記扉が半開のときに、前記スイッチ駆動手段により、前記第１のスイッチの常閉接点がＯＮ、前記第２のスイッチの常開接点がＯＮとなり、前記商用電源と前記制御回路が接続され、前記制御回路が起動し、前記制御回路は、前記ドア検出回路によりドアの開放を検出したときに前記第１、第２のリレーをＯＮするとともに、あらかじめ定められた時間を設定し、
前記扉が全開のときに、前記スイッチ駆動手段により、前記第１のスイッチの常閉接点がＯＮ、前記第２のスイッチの常開接点がＯＦＦとなり、前記制御回路は、前記あらかじめ定められた時間が経過したとき、第１、第２のリレーをＯＦＦさせ、前記商用電源と前記制御回路を遮断させることを特徴とする高周波加熱装置。
【請求項２】
スイッチ駆動手段は、扉に設けられた第１、第２のラッチと、
加熱室側に設けられ、ドアの開閉により前記第１、第２のラッチを連動させるガイド部と、
加熱室側に回転自在に設けられ、前記第１、第２のラッチの動作に各々連動して第１、第２のスイッチのノブを出没させる第１、第２の回転レバーとを備えたことを特徴とする請求項１記載の高周波加熱装置。
【発明の詳細な説明】
【０００１】
【発明の属する技術分野】
この発明は、マイクロコンピュータ等を備えた制御回路の電源を制御する高周波加熱装置に関するものである。
【０００２】
【従来の技術】
図１２は従来の高周波加熱装置の要部縦断面図、図１３はそのドアの開放状態図である。図において１は本体、２は前記本体１に設けた一方に開口部を有する加熱室、３は前記加熱室２の開口部を開閉するドア、このドア３は本体１の下部にアーム４４で連結枢支され、本体１内のコイルバネ（図示せず）により、常時閉方向に付勢されている。４５は前記ドア３の上部外面に設けたハンドル、４６は前記ドア３を介してハンドル４５と対向して設けた突起である。４７は加熱室２の外部壁に固着され上部に突出したストッパー４７ａを有する支持台、４８は回転レバーで、回転軸４９により支持台７に回転自在に枢支されている。
【０００３】
回転レバー４８は、回転軸４９より上方に延設した先端に突出部４８ａを有するレバー（ａ）４８ｂと、下方へ延設したレバー（ｂ）４８ｃと前記レバー（ａ）４８ｂとレバー（ｂ）４８ｃに略垂直方向に延設したレバー（ｃ）４８ｄで構成されている。５０は上面をレバー（ｂ）４８ｃの先端に当接配置したドアスイッチ（ａ）であり、ノブ５０ａを出没自在に備えている。５１は前記回転レバー（ｃ）４８ｄの先端部に当接配置されたラッチスイッチであり、ノブ５１ａを出没自在に備えている。５２は前記回転レバー４８のレバー（ａ）４８ｂを前記ドア３側へ付勢するコイルバネである。
【０００４】
また、図１４は従来の高周波加熱装置のドア閉で電源投入時の回路図であり、図において、１５は商用電源、１６は電流ヒューズ、５５はドア３が開いたときにＯＦＦし、閉じたときＯＮする一対のラッチスイッチ、５６はドアが開いたとき接点ａと接続し、ドアが閉じたときは接点ｂと接続する副ドアスイッチで、
ドア開放時にラッチスイッチ５５の接点が溶着してＯＦＦしなかったとき、電流ヒューズ１６を溶断するためのものである。１７は調理中に加熱室２内を照らすランプ、１８は加熱室２内底部に配設したターンテーブル（図示せず）を回転させるテーブルモータ、１９は高周波発生源２０に直列に接続されたリレー、２１、２２は各加熱ヒータ２３、２４にそれぞれ直列に接続されたリレー、５７は後述する制御回路２９の制御に基づいて商用電源１５の負荷回路をＯＮ／ＯＦＦするリレーである。２６は高周波発生源２０に並列に接続されたファンモータ、５０はドアが開いたときＯＮし、閉じたときＯＦＦするドアスイッチ（ａ）、５８はこのドアスイッチ５０に並列に接続されたリレーで、制御回路２９の制御に基づいて電源回路３１をＯＮ／ＯＦＦする。
【０００５】
２９は制御回路で、マイクロコンピュータ３０と、商用電源１５の交流電圧を安定化した直流電圧に変換する電源回路３１と、外部操作に基づいて調理指令をマイクロコンピュータ３０に出力するキー入力検知回路３２と、ドアの開閉状態を検知するためのドア検知回路３４と、マイクロコンピュータ３０の制御に応じてリレー１９、２１、２２をＯＮ／ＯＦＦする出力回路３５とを備えている。
【０００６】
次に、前記のように構成された従来の高周波加熱装置の動作を図１５、図１６により説明する。図１５はドアスイッチ（ａ）５０及びリレー５８のＯＮ／ＯＦＦ制御に関した高周波加熱装置の動作を示すフローチャート、図１６は動作のタイミングチャートである。
【０００７】
まず、商用電源１５を投入する（ステップＳ１）。このとき、ドア３は閉状態なので（ステップＳ２）、ドアスイッチ（ａ）５０、リレー５８共にＯＦＦ状態である（ステップＳ３）。このドア３を開けると（ステップＳ４）、バネ５２の付勢力により回転レバー４８が軸４９を中心に回転し、レバー（ｃ）４８ｄがラッチスイッチ５１からはずれノブ５１ａが突出し、一対のラッチスイッチ５１がＯＦＦすると同時に、副ドアスイッチ５６が接点ｂから接点ａに切り換わって商用電源１５と負荷側とを完全に切り離す。このとき、レバー（ｂ）４８ｃがドアスイッチ（ａ）５０からずれてノーマルクローズ形のドアスイッチ（ａ）５０がＯＮし（ステップＳ５）、商用電源１５と制御回路２９の電源回路３１とを接続する。この接続により制御回路２９が起動すると、ドア検知回路３４がドアの開放を検知してその情報をマイクロコンピュータ３０に出力し、マイクロコンピュータ３０はその情報が入力されたときリレー５８をＯＮすると共に（ステップＳ６）、マイクロコンピュータ３０内のタイマー３０ａに、一定のタイマ時間ｔ１（例えば１０分間）を設定して（ステップＳ７）待機する。
【０００８】
ここで、食品を加熱室２に入れてドア３を閉じると（ステップＳ８）、ドア３の突起４６がレバー（ａ）４８ｂの突出部４８ａを押し、回転レバー４８は軸４９を中心に回転し戻されると、レバー（ｃ）４８ｄがラッチスイッチ５１のノブ５１ａを押し、一対のラッチスイッチ５１がＯＮし、副ドアスイッチ５６が接点ａから接点ｂに切り換わる。同時に、レバー（ｂ）４８ｃがドアスイッチ（ａ）５０のノブ５０ａを押してドアスイッチ（ａ）５０がＯＦＦする（ステップＳ９）。一方、マイクロコンピュータ３０が、その状態を、ドア検知回路３４を通して検知すると、タイマー３０ａは設定したタイマ時間ｔ１のカウントダウンを開始する（ステップＳ１０）。このまま、タイマ時間ｔ１が経過すると、タイマ時間ｔ１がゼロとなり、出力回路３５を介してリレー５８をＯＦＦし（ステップＳ１１）、商用電源１５と電源回路３１とを切り離して、電源供給を停止する。上記の動作のタイミングチャートを図１６に示す。
【０００９】
タイマ時間ｔ１をカウントダウンする間にキー入力検知回路３２からの調理指令が入力されたときは（ステップＳ１２）、タイマ時間のカウントダウンを停止すると共に、その指令に基づく、例えば、高周波加熱であればリレー１９とリレー５７を、出力回路３５を介してＯＮし、ランプ１７及びテーブルモータ１８に電源を供給するとともに、高周波発生源２０及びファンモータ２６に電源を印加する（ステップＳ１３）。そして調理中ドア３を開けずに（ステップＳ１４）、この高周波発生源２０の加熱調理による調理時間が経過すると、リレー１９とリレー５７をＯＦＦして調理を終了し（ステップＳ１５）、ただちにリレー５８をＯＦＦして、商用電源１５と電源回路３１とを切り離して、電源供給を停止する。  また、調理中にドア３を開けたときは（ステップＳ１４）、調理待機状態となる。そして再び、ドア３を閉じると（ステップＳ１７）、調理が再スタート（ステップＳ１８）する。
【００１０】
【発明が解決しようとする課題】
前述した従来の高周波加熱装置では、ドア３を開けている状態においては、リレー５８のＯＮ／ＯＦＦに関係なく、ドアスイッチ（ａ）５０がＯＮして制御回路２９に電源が常時印加されているため、電力が常時消費されてしまい、その間に消費される電力が無駄になる。
【００１１】
この発明は、かかる課題を解決するためになされたもので、簡単な構成により、無駄な消費電力をなくす高周波加熱装置を得ることを目的とする。
【００１２】
【課題を解決するための手段】
この発明に係る高周波加熱装置は、加熱室の扉に連動するスイッチ駆動手段と、このスイッチ駆動手段により動作する第１、第２のスイッチと、前記扉の開閉を検出するドア検出回路を有する制御回路と、加熱室に熱源を供給する負荷回路と、を備え、前記第１のスイッチは双方向接点式であり、前記第１のスイッチの共通端子は前記商用電源に接続され、前記第１のスイッチの常開接点は前記負荷回路に接続され、前記第１のスイッチの常閉接点は前記制御回路に接続され、前記第２のスイッチは双方向接点式であり、前記第２のスイッチの共通端子は前記商用電源に接続され、前記第２のスイッチの常開接点は前記制御回路に接続され、前記第２のスイッチの常閉接点は前記第１のスイッチの常開接点に接続されるとともに、前記負荷回路に接続され、前記ドア検出回路は前記第１のスイッチの常開接点に並列に接続し、それぞれ前記第１のスイッチの前記共通端子と前記常閉接点、第２のスイッチの前記共通端子と前記常開接点に、並列に接続され、前記商用電源と前記制御回路をＯＮ，ＯＦＦする第１，第２のリレーとを、更に備え、前記扉が全閉のときに、前記スイッチ駆動手段により、前記第１のスイッチの常閉接点がＯＦＦ、前記第２のスイッチの常開接点がＯＮとなるとともに、前記第１、第２のリレーがＯＦＦとなり、
前記扉が半開のときに、前記スイッチ駆動手段により、前記第１のスイッチの常閉接点がＯＮ、前記第２のスイッチの常開接点がＯＮとなり、前記商用電源と前記制御回路が接続され、前記制御回路が起動し、前記制御回路は、前記ドア検出回路によりドアの開放を検出したときに前記第１、第２のリレーをＯＮするとともに、あらかじめ定められた時間を設定し、前記扉が全開のときに、前記スイッチ駆動手段により、前記第１のスイッチの常閉接点がＯＮ、前記第２のスイッチの常開接点がＯＦＦとなり、前記制御回路は、前記あらかじめ定められた時間が経過したとき、第１、第２のリレーをＯＦＦさせ、前記商用電源と前記制御回路を遮断させるものである。
【００１３】
また、スイッチ駆動手段は、扉に設けられた第１、第２のラッチと、加熱室側に設けられ、ドアの開閉により前記第１、第２のラッチを連動させるガイド部と、加熱室側に回転自在に設けられ、前記第１、第２のラッチの動作に各々連動して第１、第２のスイッチのノブを出没させる第１、第２の回転レバーとを備える。
【００１４】
【発明の実施の形態】
図１はこの発明の実施形態１を示す高周波加熱装置の斜視図、図２、図４、図６、図８は、ドア開閉の動作説明のための要部断面図、図３、図５、図７、図９は、図２、図４、図６、図８のそれぞれの動作回路図、図１０は動作のフローチャート、図１１は動作のタイミングチャートである。
【００１５】
図１において１は本体、２は本体１に設けた一方に開口部を有する加熱室、３は記加熱室２の開口部を、その左端を軸として開閉するドアである。４はドア３の外面側に設けられ、使用者が前記ドア３を開閉するために用いるハンドル、６はドア３を介してハンドル４と対向して設けられた一対のラッチ６ａ、６ｂからなるラッチであり、ドア３内でコイルバネ５により連結枢支され、常時下部方向に付勢されている。また、このラッチ６は、ドア３が閉じられている時には加熱室２外の本体１内に嵌め込まれ、本体１内のラツチ６が嵌め込まれている部分には、後述の各種スイッチが設けられている。
【００１６】
図２、図４、図６、図８において７は前記加熱室２の外部壁に固着された支持台、８は回転レバーで、回転軸９により支持台７に回転自在に枢支されている。１０は上面を前記レバー８の先端に当接配置し、第２のスイッチであるノーマルオープン型のラッチスイッチであり、ノブ１０ａを出没自在に備えている。１１は回転レバーで、側面側の凸部１１ａと先端部１１ｂを有し、回転軸１２により支持台７に回転自在に枢支されている。１３は前記回転レバー１１の先端部に当接配置された、ノーマルオープン型のドアスイッチであり、ノブ１３ａを出没自在に備えている。１４は回転レバ−１１の先端部１１ｂに当接配置された、第１のスイッチであるノーマルクローズ型のモニタスイッチであり、ノブ１４ａを出没自在に備えている。また、支持台７にはドア３の開閉により、ラッチ６ａ、６ｂをコイルバネ５に抗して上下に移動させるガイド部７ａ、７ｂが設けられている。なお、スイッチ駆動手段は、上述のラッチ６ａ、６ｂと、支持台に設けられたガイド部７ａ、７ｂ及びラッチ６及び回転レバー８、１１とを備えたものである。
【００１７】
また、図３、図５、図７、図９において、１５は商用電源、１６は電流ヒューズで、ラッチスイッチ１０はドア３が閉じられている時に常開接点（Ｎ．Ｏ）がＯＮし、開いたときに常閉接点（Ｎ．Ｃ）がＯＮするスイッチである。ドアスイッチ１３はドア３が閉じられている時に常開接点（Ｎ．Ｏ）がＯＮするスイッチである。１４はドア３が閉じられている時に常開接点がＯＮし、ドアが開いたときに常閉接点（Ｎ．Ｃ）がＯＮするモニタスイッチで、ドア開放時にラッチスイッチ１０の常開接点が溶着してＯＦＦしなかったとき、電流ヒューズ１６を溶断するためのものである。
【００１８】
６０は負荷回路であり、調理中に加熱室２内を照らすランプ１７、加熱室２内底部に配設したターンテーブル（図示せず）を回転させるテーブルモータ１８、高周波発生源２０に直列に接続されたリレー１９、各加熱ヒータ２３，２４にそれぞれ直列に接続されたリレー２１、２２及び高周波発生源２０に並列に接続されたファンモータ２６とを備えている。
【００１９】
２５は後述する制御回路の制御に基づいて商用電源１５の負荷回路をＯＮ／ＯＦＦするリレーである。２７はラッチスイッチ１０の常閉接点（Ｎ．Ｃ）に並列に接続されたリレーで、制御回路２９の制御に基づいて電源回路３１の一方をＯＮ／ＯＦＦする。また、２８はモニタスイッチ１３の常開接点（Ｎ．Ｏ）に並列に接続きれたリレーで、制御回路２９の制御に基づいて電源回路３１の他方をＯＮ／ＯＦＦする。
【００２０】
２９は制御回路で、マイクロコンピュータ３０と、商用電源１３の交流電圧を安定化した直流電圧に変換する電源回路３１と、外部操作に基づいて調理指令をマイクロコンピュータ３０に出力するキー入力検知回路３２と、ドアの開閉状態を検知するためのドア開閉検知回路３４と、マイクロコンピュータ３０の制御に応じてリレー１９、２１、２２、２５、２７、２８をＯＮ／ＯＦＦする出力回路３５とを備えている。
【００２１】
ドア開閉検知回路３４は、図示してないが商用電源１５にラッチスイッチ１０の常開接点（Ｎ．Ｏ）を介して並列に接続され、ドア３が全閉し、ラッチスイッチ１０の常開接点（Ｎ．Ｏ）がＯＮすると、所定の電圧を出力してマイクロコンピュータ３０に印加されることによりドア３の全閉が検知される。そして、ドア３が開放され、ラッチスイッチ１０の常開接点（Ｎ．Ｏ）がＯＦＦすると、電圧が０となりマイクロコンピュータ３０によりドア３の開放が検知される。
【００２２】
次に、以上のように構成された実施の形態１の高周波加熱装置の動作を図１０、図１１により説明する。図１０はラッチスイッチ１０、モニタスイッチ１３及びリレー２７，２８のＯＮ／ＯＦＦ制御に関した高周波加熱装置の動作を示すフローチヤー卜、図１１は動作のタイミングチャートである。
【００２３】
まず、商用電源１５を投入する（ステップＳ２１）。このとき、図２に示すように、ドア３は閉状態なので（ステップＳ２２）、ラッチスイッチ１０、モニタスイッチ１４の後述するノブ１０ａ、１４ａは、各々回転レバー８、回転レバー１１により押し込まれたままなので、図３に示すように、ラッチスイッチ１０、モニタスイッチ１４共にＯＮ状態（常開接点（Ｎ．Ｏ）ＯＮ、常閉接点（Ｎ．Ｃ）ＯＦＦ）、リレー２７，２８共に０ＦＦ状態であり（ステップＳ２３）、制御回路２９の電源回路３１は商用電源１５と切り離されている。また、このとき、ドア検知回路３４はラッチスイッチ１０がＯＮ状態（常開接点（Ｎ．Ｏ）（ＯＮ））となるので、ラッチスイッチ１０の常開接点（Ｎ．Ｏ）がＯＮすると所定の電圧を出力してマイクロコンピュータ３０に印加されることによりドア３の全閉が検知される。なお、ドアスイッチ１３も同様にＯＮ状態である。
【００２４】
次に、閉状態のドア３を図４に示すように少しすこし開ける（隙間ｂ半開放状態）と（ステップＳ２４）、回転レバー８が軸９を中心に回転し、レバー８がラッチスイッチ１０から離れ、ノブ１０ａが突出して、図５に示すようにラツチスイッチ１０の常開接点（Ｎ．Ｏ）（ＮＯ）がＯＦＦし、商用電源１５と負荷側とを完全に切り離す。この時、ラッチスイッチ１０の常開接点（Ｎ．Ｏ）がＯＦＦすると共に、常閉接点（Ｎ．Ｃ）がＯＮし（ステップＳ２５）、商用電源１５と制御回路２９の電源回路３１とを接続する。この接続により、制御回路２９が起動すると、ラッチスイッチ１０がＯＦＦ状態（常開接点（Ｎ．Ｏ）（ＯＦＦ））となると、所定の出力電圧が０となりマイクロコンピュータ３０によりドア３の開放が検知される。そして、マイクロコンピュータ３０はこの情報が入力されると、リレー２７、２８をＯＮすると共に（ステップＳ２６）、タイマー３０ａにタイマ時間ｔ２（例えば５分間）を設定してカウントダウンを開始する（ステップＳ２７）。
【００２５】
次に、さらに半開状態のドア３を図６に示すように、さらに開ける（隙間ｃ及びｄ開放状態）と（ステップＳ２８）、回転レバー１１が軸１２を中心に回転し、レバー１１の先端部１１ａがドアスイッチ１３から離れ、ノブ１３ａが突出し、図７に示すように、ドアスイッチ１３がＯＦＦする。このため、商用電源１５と負荷側が完全に切り離される。
【００２６】
次に、図８に示すように、ドア３を間隙ｄ以上から全開にすると（ステップＳ２８）、回転レバー１１がさらに回転し、レバー１１の先端部１１ｂがモニタスイッチ１４から離れ、ノブ１４ａが突出し、図９に示すように、モニタスイッチ１４の常開接点（Ｎ．Ｏ）（ＮＯ）がＯＦＦすると共に、常閉接点（Ｎ．Ｃ）（ＣＮ）がＯＮし（ステップＳ２９）、商用電源１５と制御回路２９の電源回路３１との接続を切り離す。そして、タイマ時間ｔ２がゼロになったとき（ステップＳ３０）、出力回路３５によりリレー２７、２８をＯＦＦし（ステップＳ３１）、商用電源１５と電源回路３１とを切り離して電源供給を停止する。
なお、ドアスイッチ１３のノブ１３ａは突出したままとなっており、ドアスイッチ１３はＯＦＦとなっており、商用電源１５と負荷側が完全に切り離されている。また、ここでは、ドア３の間隙をａ〜ｄに分けて説明したが、通常の使用状態ではラッチ６はバネ５で下側へ付勢されているため、ｂ〜ｄの位置で固定されることはなく、その間の動作時間は、タイマ時間ｔ２に比べ、十分短いことは明らかである。
【００２７】
次に、ドア３が開放状態にあるとき、食品を加熱庫２に入れてドア３を図４に示すように半開状態にすると（ステップＳ３２）、ドアスイッチ１３、モニタスイッチ１４のノブ１３ａ、１４ａは、各々回転レバー８、回転レバー１１により押し込まれるが、ラッチスイッチ１０のノブ１０ａは突き出したままであり、図５に示すようにラツチスイッチ１０の常開接点（Ｎ．Ｏ）（ＮＯ）がＯＦＦし、商用電源１５と負荷側とは切り離されたままである。このとき、ラッチスイッチ１０常閉がＯＮするので（ステップＳ３３）、商用電源１５と制御回路２９の電源回路３１とが接続され、制御回路２９が起動すると、ドア検知回路３４がドア３の開放を検知して、その情報をマイクロコンピュータ３０に出力し、マイクロコンピュータ３０はその情報が入力されると、リレー２７、２８をＯＮすると共に（ステップＳ３４）、タイマー３０ａにタイマ時間ｔ３（例えば５分間）を設定して待機する（ステップＳ３５）。なお、ドアスイッチ１３はＯＮ状態である。
【００２８】
次に、ドア３を閉にすると（ステップＳ３６）、図２のように回転レバー８が戻され、レバー８によりラッチスイッチ１０のノブ１０ａが押し込まれ、図３に示すように、ラッチスイッチ１０、モニタスイッチ１４共にＯＮ状態（常開接点（Ｎ．Ｏ）ＯＮ、常閉接点（Ｎ．Ｃ）ＯＦＦ）となる（ステップＳ３７）。ここで、タイマー３０ａにタイマ時間ｔ３が設定されているので、出力回路３５によりリレー２７、２８はＯＦＦとならずＯＮのままであり、制御回路２９の電源回路３１は商用電源１５と接続されている。
【００２９】
一方、マイクロコンピュータ３０は、ドア３の閉状態を、ドアスイッチ検出回路３４を通して検知すると、タイマー３０ａは先に設定したタイマ時間ｔ３カウントダウンを開始し、このまま、先に設定したタイマ時間ｔ３が経過すると（ステップＳ３８）、タイマ時間ｔ３がゼロとなり、出力回路３５によりリレー２７、２８をＯＦＦし（ステップＳ３１）、商用電源１５と電源回路３１とを切り離して、電源供給を停止する。
【００３０】
図１０に示していないが、タイマ時間ｔ３をカウントダウンの間にキー入力検知回路３２からの調理指令が入力されたときは、タイマ時間ｔ３のカウントダウンを停止すると共に、その指令に基づく、例えば、高周波加熱であればリレー１９とリレー２５を、出力回路３５によりＯＮし、ランプ１７及びテーブルモータ１８に電源を供給するとともに、高周波発生源２０及びファンモータ２６に電源を印加する。そして調理中にドア３を開けずに、この高周波発生源２０の加熱調理による調理時間が経過すると、リレー１９とリレー２５をＯＦＦして調理を終了し、リレー２７、２８をＯＦＦして、商用電源１５と電源回路３１とを切り離して、電源供給を停止する。
【００３１】
【発明の効果】
以上のようにこの発明によれば、加熱室の扉に連動するスイッチ駆動手段と、このスイッチ駆動手段により動作する第１、第２のスイッチと、前記扉の開閉を検出するドア検出回路を有する制御回路と、加熱室に熱源を供給する負荷回路と、を備え、前記第１のスイッチは双方向接点式であり、前記第１のスイッチの共通端子は前記商用電源に接続され、前記第１のスイッチの常開接点は前記負荷回路に接続され、前記第１のスイッチの常閉接点は前記制御回路に接続され、前記第２のスイッチは双方向接点式であり、前記第２のスイッチの共通端子は前記商用電源に接続され、前記第２のスイッチの常開接点は前記制御回路に接続され、前記第２のスイッチの常閉接点は前記第１のスイッチの常開接点に接続されるとともに、前記負荷回路に接続され、前記ドア検出回路は前記第１のスイッチの常開接点に並列に接続し、それぞれ前記第１のスイッチの前記共通端子と前記常閉接点、第２のスイッチの前記共通端子と前記常開接点に、並列に接続され、前記商用電源と前記制御回路をＯＮ，ＯＦＦする第１，第２のリレーとを、更に備え、前記扉が全閉のときに、前記スイッチ駆動手段により、前記第１のスイッチの常閉接点がＯＦＦ、前記第２のスイッチの常開接点がＯＮとなるとともに、前記第１、第２のリレーがＯＦＦとなり、
前記扉が半開のときに、前記スイッチ駆動手段により、前記第１のスイッチの常閉接点がＯＮ、前記第２のスイッチの常開接点がＯＮとなり、前記商用電源と前記制御回路が接続され、前記制御回路が起動し、前記制御回路は、前記ドア検出回路によりドアの開放を検出したときに前記第１、第２のリレーをＯＮするとともに、あらかじめ定められた時間を設定し、前記扉が全開のときに、前記スイッチ駆動手段により、前記第１のスイッチの常閉接点がＯＮ、前記第２のスイッチの常開接点がＯＦＦとなり、前記制御回路は、前記あらかじめ定められた時間が経過したとき、第１、第２のリレーをＯＦＦさせ、前記商用電源と前記制御回路を遮断させるので、ドアの開放時に消費される制御回路の電力を軽減することができる。
【００３２】
また、スイッチ駆動手段は、扉に設けられた第１、第２のラッチと、加熱室側に設けられ、ドアの開閉により前記第１、第２のラッチを連動させるガイド部と、加熱室側に回転自在に設けられ、前記第１、第２のラッチの動作に各々連動して第１、第２のスイッチのノブを出没させる第１、第２の回転レバーとを備えたので、簡単な構成により扉の開閉に応じた制御をする事ができる。
【図面の簡単な説明】
【図１】  この発明の実施形態を示す高周波加熱装置の斜視図である。
【図２】  この発明の実施形態を示す高周波加熱装置の動作説明図である。
【図３】  この発明の実施形態を示す高周波加熱装置の動作回路図である。
【図４】  この発明の実施形態を示す高周波加熱装置の動作説明図である。
【図５】  この発明の実施形態を示す高周波加熱装置の動作回路図である。
【図６】  この発明の実施形態を示す高周波加熱装置の動作説明図である。
【図７】  この発明の実施形態を示す高周波加熱装置の動作回路図である。
【図８】  この発明の実施形態を示す高周波加熱装置の動作説明図である。
【図９】  この発明の実施形態を示す高周波加熱装置の動作回路図である。
【図１０】  この発明の実施形態を示す高周波加熱装置の動作のフローチャートである。
【図１１】  この発明の実施形態を示す高周波加熱装置の動作のタイミングチヤートである。
【図１２】  従来の高周波加熱装置の要部縦断面図である。
【図１３】  従来の高周波加熱装置の動作説明図である。
【図１４】  従来の高周波加熱装置の動作回路図である。
【図１５】  従来の高周波加熱装置の動作のフローチャートである。
【図１６】  従来の高周波加熱装置の動作のタイミングチヤートである。
【符号の説明】
１  本体、２  加熱室、３  ドア、５  ハンドル、６  ラッチ、８、１１  回転レバー、１０  ラッチスイッチ、１３  ドアスイッチ、１４  モニタスイッチ、１５  商用電源、２７、２８  リレー、２９  制御回路、３０  マイクロコンピュータ、３１  電源回路、３４  ドア検知回路、３５  出力回路、６０  負荷回路。
【図１】
0003799523.tif 000002
【図２】
0003799523.tif 000003
【図３】
0003799523.tif 000004
【図４】
0003799523.tif 000005
【図５】
0003799523.tif 000006
【図６】
0003799523.tif 000007
【図７】
0003799523.tif 000008
【図８】
0003799523.tif 000009
【図９】
0003799523.tif 000010
【図１０】
0003799523.tif 000011
【図１１】
0003799523.tif 000012
【図１２】
0003799523.tif 000013
【図１３】
0003799523.tif 000014
【図１４】
0003799523.tif 000015
【図１５】
0003799523.tif 000016
【図１６】
0003799523.tif 000017